(57)【特許請求の範囲】
【請求項１】
表示画面を有した表示装置と、
前記表示装置が収容され、前記表示画面が露出される開口部が設けられた上壁と、前記表示画面との間が第１距離の第１底壁と、前記表示画面との間が前記第１距離よりも大きな第２距離の第２底壁と、前記第１底壁と前記第２底壁との間に位置した傾斜部と、前記上壁と前記第２底壁との間に排気孔が設けられた側壁とを有した筐体と、
前記表示装置と前記第２底壁との間に位置した発熱部品と、
前記表示装置と前記第２底壁との間に位置したファンと、
を備え、
前記傾斜部は、前記発熱部品から前記排気孔に向かう方向に延びて、前記ファンの駆動時に前記表示装置と前記第２底壁の間の空気の少なくとも一部を前記排気孔に向けて導く電子機器。
【請求項２】
請求項１の記載において、
前記第１底壁と前記第２底壁との間に位置し、前記筐体内の空間を、前記第１底壁が位置した第１領域と、前記第２底壁、前記排気孔、前記ファン、及び前記発熱部品が位置した第２領域とに少なくとも部分的に仕切る遮風部をさらに備えた電子機器。
【請求項３】
請求項２の記載において、
前記遮風部は、前記発熱部品から前記排気孔に向かう方向に延びた電子機器。
【請求項４】
請求項２または請求項３の記載において、
前記遮風部は、前記筐体内に設けられた壁である電子機器。
【請求項５】
請求項２または請求項３の記載において、
前記表示装置と前記第１底壁及び前記第２底壁との間に位置したミドルプレートをさらに備え、
前記遮風部は、前記筐体の内面と前記ミドルプレートとの間に位置したスポンジである電子機器。
【請求項６】
請求項１乃至請求項５のいずれかの記載において、
前記第２底壁は、第１吸気孔が設けられた電子機器。
【請求項７】
請求項６の記載において、
前記発熱部品は、前記第２底壁から前記第１底壁に向かう第１方向とは交差する第２方向で、前記第１吸気孔と前記ファンとの間に位置し、
前記ファンは、前記第１吸気孔から前記筐体内に入った空気を、該ファンに向けて前記発熱部品の周りを通過させる電子機器。
【請求項８】
請求項７の記載において、
前記表示装置と前記第２底壁との間に位置したモジュールをさらに備え、
前記ファン及び前記モジュールは、前記第２方向で前記発熱部品の両側に分かれて位置し、
前記第１吸気孔は、前記モジュールに向かい合う電子機器。
【請求項９】
請求項６乃至請求項８のいずれかの記載において、
前記傾斜部は、第２吸気孔が設けられた電子機器。
【発明の詳細な説明】
【技術分野】
【０００１】
本発明の実施形態は、テレビジョン受像機を含む電子機器に関する。
【背景技術】
【０００２】
ユーザーが片手で保持と操作ができるように、グリップ構造を有したモバイル電子装置が提案されている。
【先行技術文献】
【特許文献】
【０００３】
【特許文献１】特開２００４−２０６３００号公報
【発明の概要】
【発明が解決しようとする課題】
【０００４】
テレビジョン受像機を含む電子機器は、放熱性の向上が要望されている。
【０００５】
本発明の目的は、放熱性の向上を図ることができる電子機器を提供することである。
【課題を解決するための手段】
【０００６】
一つの実施形態によれば、電子機器は、表示装置と、筐体と、発熱部品と、ファンとを備える。前記表示装置は、表示画面を有する。前記筐体は、前記表示装置が収容され、前記表示画面が露出される開口部が設けられた上壁と、前記表示画面との間が第１距離の第１底壁と、前記表示画面との間が前記第１距離よりも大きな第２距離の第２底壁と、前記第１底壁と前記第２底壁との間に位置した傾斜部と、前記上壁と前記第２底壁との間に排気孔が設けられた側壁とを有する。前記発熱部品及び前記ファンは、前記表示装置と前記第２底壁との間に位置する。前記傾斜部は、前記発熱部品から前記排気孔に向かう方向に延びて、前記ファンの駆動時に前記表示装置と前記第２底壁の間の空気の少なくとも一部を前記排気孔に向けて導く。
【図面の簡単な説明】
【０００７】
【図１】第１実施形態に係るテレビジョン受像機の斜視図。
【図２】図１中に示されたテレビジョン受像機の斜視図。
【図３】図２中に示された表示ユニットの斜視図。
【図４】図２中に示されたスタンドの一部を示す斜視図。
【図５】第２実施形態に係る電子機器の斜視図。
【図６】図５中に示された電子機器の側面図。
【図７】図５中に示された電子機器の下面を示す斜視図。
【図８】図５中に示された電子機器の斜視図。
【図９】図５中に示された電子機器の分解斜視図。
【図１０】図５中に示された電子機器の内部を示す斜視図。
【図１１】図５中に示された電子機器の内部を示す平面図。
【図１２】図１０中に示されたモジュールの斜視図。
【図１３】図１２中に示されたモジュールの平面図。
【図１４】図１２中に示されたモジュールの下面図。
【図１５】図１２中に示されたモジュールの前面図。
【図１６】図１２中に示されたモジュールの側面図。
【図１７】図５中に示された電子機器の後端部の一部を拡大して示す斜視図。
【図１８】図５中に示された電子機器の後端部の断面図。
【図１９】図９中に示されたバッテリの斜視図。
【図２０】図５中に示された電子機器の後端部の断面図。
【図２１】図９中に示されたミドルプレートの斜視図。
【図２２】図５中に示された電子機器の内部を示す平面図。
【図２３】図５中に示された電子機器の断面図。
【図２４】図５中に示された電子機器の後端部の一部を拡大して示す斜視図。
【図２５】図５中に示された電子機器の後端部の一部を拡大して示す斜視図。
【図２６】図５中に示された電子機器の前端部の断面図。
【図２７】図５中に示された電子機器の後端部の断面図。
【図２８】図５中に示された電子機器の電源ボタンのロック機構を示す斜視図。
【図２９】図５中に示された電子機器の電源ボタンのロック機構を示す断面図。
【図３０】図５中に示された電子機器のコネクタのカバーを示す断面図。
【図３１】図５中に示された電子機器のコネクタのカバーを示す断面図。
【図３２】図５中に示された電子機器の電源コネクタを示す断面図。
【図３３】図５中に示された電子機器の電源コネクタを示す断面図。
【図３４】図５中に示された電子機器が取付可能なドックの斜視図。
【図３５】図３４中に示されたドックの斜視図。
【図３６】図３４中に示された第２コネクタを示す斜視図。
【図３７】図３４中に示されたドックに電子機器が取り付けられた状態の斜視図。
【図３８】図３７中に示されたドックと電子機器の側面図。
【図３９】図３７中に示されたドックと電子機器のＦ３９−Ｆ３９線に沿う断面図。
【図４０】図３７中に示されたドックと電子機器のＦ４０−Ｆ４０線に沿う断面図。
【図４１】図３４中に示されたドックの内部を示す斜視図。
【図４２】図４１中に示された第２コネクタの支持機構を示す斜視図。
【図４３】図４１中に示された第２コネクタの支持機構を示す平面図。
【図４４】図４１中に示された第２コネクタの支持機構を示す斜視図。
【図４５】図４１中に示された第２コネクタの支持機構を示す断面図。
【図４６】図４１中に示された第２コネクタの支持機構の変形例を示す断面図。
【図４７】図３７中に示されたドックと電子機器の斜視図。
【図４８】図３７中に示されたドックと電子機器の斜視図。
【図４９】図３７中に示されたドックと電子機器の断面図。
【図５０】図３７中に示されたドックの変形例と電子機器の断面図。
【発明を実施するための形態】
【０００８】
以下、実施の形態について、図面を参照して説明する。
【０００９】
（第１実施形態）  
図１乃至図４は、第１実施形態に係るテレビジョン受像機１を開示している。テレビジョン受像機１は、「電子機器」の一例である。図１に示すように、テレビジョン受像機１は、表示ユニット２と、この表示ユニット２を支持するスタンド３とを有する。スタンド３は、「電子機器」の別の一例であるとともに、「支持ユニット」、「支持部」、「台」、「接続機」、「拡張装置」の其々一例である。
【００１０】
図２に示すように、表示ユニット２は、スタンド３に着脱可能に支持されている。すなわち、テレビジョン受像機１は、表示ユニット２がスタンド３に支持された第１状態（図１参照）と、表示ユニット２がスタンド３から取り外された第２状態（図３参照）とで使用可能である。
【００１１】
図１に示すように、表示ユニット２は、第１筐体４と、この第１筐体４に収容された表示装置５とを有する。第１筐体４は、前壁１１（上壁）、第１背壁１２（第１底壁）、第２背壁１３（第２底壁）、傾斜部１４、及び周壁１５を有する。前壁１１は、「壁」、「壁部」の其々一例である。表示装置５は、タッチセンサ１６が設けられた表示画面１７を有する。第１筐体４の前壁１１は、表示画面１７が露出される開口部１１ａを有する。
【００１２】
図３に示すように、表示ユニット２は、スタンド３から取り外され、載置面Ｓ（例えば机上面）に直接に置かれて使用可能である。表示ユニット２の前端部には、第１コネクタ１８が設けられている。
【００１３】
図２に示すように、スタンド３は、第２筐体２１を有する。第２筐体２１は、底壁２２と、ホルダ２３とを有する。ホルダ２３は、「保持部」の一例である。図４に示すように、ホルダ２３は、開口部２４を有する。この開口部２４には、表示ユニット２（第１コネクタ１８）に接続される第２コネクタ２５が設けられている。第２コネクタ２５は、後述の第２実施形態と同様の構造で支持され、移動可能である。
【００１４】
なお、表示ユニット２の詳細は、第２実施形態の電子機器３１と略同じである。スタンド３の詳細は、第２実施形態のドック３２と略同じである。従って、第２実施形態を代表して詳しく説明することで、本実施形態におけるこれらの詳細な説明は省略する。
【００１５】
（第２実施形態）  
次に、図５乃至図５０を参照して、第２実施形態に係る電子機器３１を説明する。電子機器３１は、例えばスレート型ポータブルコンピュータ（以下、スレートＰＣ）であり、いわゆるタブレット端末である。なお、本実施形態が適用可能な電子機器は、上記例に限られない。本実施形態は、例えばスマートフォンを含む携帯電話や電子書籍端末、及びその他の電子機器に広く適用可能である。電子機器３１は、「表示ユニット」の一例である。
【００１６】
図５乃至図８に示すように、電子機器３１は、筐体４を有する。筐体４は、「第１筐体」の一例である。筐体４は、例えば扁平な箱状に形成されている。筐体４は、第１端部４ａと、第２端部４ｂとを有する。第１端部４ａは、例えば前端部である。第２端部４ｂは、例えば後端部であり、第１端部４ａとは反対側に位置する。なお本明細書では、ユーザーから見て近い方を「前」、遠い方を「後」と定義する。また、ユーザーから見て左右を定義する。
【００１７】
図９に示すように、筐体４には、表示装置５が収容されている。表示装置５は、表示画面１７を有する。この表示画面１７には、タッチセンサ１６（タッチパネル）が設けられている。タッチセンサ１６は、表示画面１７に重ねられ、表示画面１７と一体になっている。これにより、電子機器３１は、ユーザーからの入力を受付可能である。タッチセンサ１６は、「入力部」の一例である。なお、表示装置５の一例は、液晶表示パネルであるが、これに限定されるものではない。
【００１８】
以下、電子機器３１の各部の構造を詳しく説明する。
【００１９】
（筐体のクサビ形構造）  
図５乃至図８に示すように、筐体４は、上壁１１（前壁）、第１底壁１２（第１背壁）、第２底壁１３（第２背壁）、傾斜部１４、及び周壁１５を有する。上壁１１は、「壁」、「壁部」の其々一例である。上壁１１は、表示画面１７と略平行に広がり、平面状に形成されている。上壁１１は、第１端部４ａと第２端部４ｂとに亘る。
【００２０】
上壁１１は、表示画面１７が外部に露出される開口部１１ａを有する。上壁１１は、比較的薄い。このため、上壁１１の表面と表示画面１７とは、略同一平面上に位置する。上壁１１は、表示画面１７が露出される「第１面」及び「第１壁」の其々一例である。
【００２１】
図６に示すように、第１底壁１２、第２底壁１３、及び傾斜部１４は、上壁１１とは反対側に位置する。すなわち、第１底壁１２、第２底壁１３、及び傾斜部１４は、上壁１１とは反対側から表示装置５に向かい合う。第１底壁１２、第２底壁１３、及び傾斜部１４は、「第２面」及び「第２壁」の其々一例である。図７に示すように、第１底壁１２、第２底壁１３、及び傾斜部１４は、筐体４の長手方向（幅方向）で、其々筐体４の全幅に亘る。
【００２２】
図６に示すように、第１底壁１２は、筐体４の第１端部４ａに隣接し、第１端部４ａの一部を構成している。第１底壁１２は、表示画面１７と略平行に延びている。第１底壁１２と表示画面１７との間の距離は、第１距離ｔ１である。第１距離ｔ１は、筐体４の厚さ方向の幅であり、「第１幅」及び「第１厚さ」の其々一例である。第１底壁１２は、複数の第１支持脚３３（脚、脚部、支持部）を有し、第１支持脚３３によって支持される。
【００２３】
第２底壁１３は、筐体４の第２端部４ｂに隣接し、第２端部４ｂの一部を構成している。第２底壁１３は、表示画面１７と略平行に延びている。第２底壁１３と表示画面１７との間の距離は、第２距離ｔ２である。第２距離ｔ２は、筐体４の厚さ方向の幅であり、「第２幅」及び「第２厚さ」の其々一例である。第２距離ｔ２は、第１距離ｔ１よりも大きい。第２底壁１３は、複数の第２支持脚３４（脚、脚部、支持部）を有し、第２支持脚３４によって支持される。第２支持脚３４は、第１支持脚３３よりも高い（厚い）。
【００２４】
図６に示すように、傾斜部１４（傾斜壁）は、第１底壁１２と第２底壁１３との間に位置し、第１底壁１２と第２底壁１３とに亘る。すなわち、傾斜部１４は、第１底壁１２の後端部と第２底壁１３の前端部とを繋ぐ。傾斜部１４は、表示画面１７に対して傾斜している。傾斜部１４は、第１底壁１２から第２底壁１３に向かって進むに従い表示画面１７から離れる向きに傾斜し、第１底壁１２と第２底壁１３との間の段差を滑らかに繋いでいる。
【００２５】
以上のように、第２底壁１３は、第１底壁１２に比べて、上壁１１（表示画面１７）から離れている。すなわち、筐体４の第２端部４ｂは、第１端部４ａよりも厚い。また、第１底壁１２と第２底壁１３との間には、それらの間を滑らかに繋ぐ傾斜部１４が設けられている。これにより、筐体４は、クサビ形（クサビ状）に形成されている。
【００２６】
図６に示すように、第１支持脚３３及び第２支持脚３４が載置面Ｓに置かれた（接した）状態では、上壁１１（表示画面１７）は、載置面Ｓに対して後上がりに傾斜する。本実施形態では、上壁１１（表示画面１７）は、載置面Ｓに対して例えば約５度傾斜する。第１底壁１２及び第２底壁１３は、第１支持脚３３及び第２支持脚３４に支持され、載置面Ｓに対して後上がりに傾斜して載置面Ｓから離れる。
【００２７】
傾斜部１４は、第１支持脚３３と第２支持脚３４とを繋ぐ線（仮想線）よりも上壁１１の近くに位置する。これにより、第１支持脚３３及び第２支持脚３４が載置面Ｓに置かれた（接した）状態では、傾斜部１４は、載置面Ｓから離れる。
【００２８】
図５に示すように、開口部１１ａは、第１縁部１１ａａと、第２縁部１１ｂｂとを有する。第１縁部１１ａａは、例えば前縁部である。第１縁部１１ａａは、筐体４の第１端部４ａに沿う。第２縁部１１ａｂは、例えば後縁部であり、第１縁部１１ａａとは反対側に位置する。第２縁部１１ａｂは、筐体４の第２端部４ｂに沿う。
【００２９】
少なくとも平面視において、第２支持脚３４の少なくとも一部は、開口部１１ａの第２縁部１１ａｂよりも、第１支持脚３３から遠くに位置する。すなわち、第２支持脚３４の少なくとも一部は、開口部１１ａの第２縁部１１ａｂよりも、後側に位置する。換言すれば、開口部１１ａの第２縁部１１ａｂは、第２支持脚３４の少なくとも一部と第１支持脚３３との間に位置する。このため、ユーザーが表示画面１７（タッチセンサ１６）のどこを押しても、電子機器３１はバランスを崩しにくい。
【００３０】
図５乃至図８に示すように、周壁１５は、上壁１１とは交差する方向（例えば略直交する方向）に延び、上壁１１と、第１底壁１２、第２底壁１３、及び傾斜部１４とを繋ぐ。周壁１５は、前壁３６、後壁３７、第１側壁３８（右側壁）、及び第２側壁３９（左側壁）を含む。
【００３１】
前壁３６は、筐体４の第１端部４ａに位置し、筐体４の長手方向に延びている。後壁３７は、前壁３６とは反対側に位置し、前壁３６と略平行に延びている。第１側壁３８及び第２側壁３９は、前壁３６及び後壁３７とは交差する方向（例えば略直交する方向）に延び、前壁３６と後壁３７との間を繋ぐ。
【００３２】
図５に示すように、第１コネクタ１８は、筐体４の第１端部４ａに設けられている。具体的には、前壁３６には、開口部４０が設けられている。第１コネクタ１８は、開口部４０に設けられている。第１コネクタ１８は、後述するドック３２に接続されるドッキングコネクタであり、バッテリコネクタの一例である。なお、開口部４０は、カバー４１が着脱可能に取り付けられる。なお、第２端部４ｂには、カメラ１９が設けられている。
【００３３】
図６に示すように、第１側壁３８は、例えば複数の排気孔４２（開口部）が設けられている。排気孔４２は、上壁１１と第２底壁１３との間に位置する。また、第１側壁３８には、複数のコネクタ４３と、コネクタ４３に対応した複数の開口部４４とが設けられている。コネクタ４３は、筐体４に収容されるともに、開口部４４から筐体４の外部に露出されている。コネクタ４３の一例は、ＵＳＢ(Universal Serial Bus)であるが、これに限定されるものではない。
【００３４】
図６に示すように、コネクタ４３の一つは、上壁１１と傾斜部１４との間に位置する。コネクタ４３は、傾斜部１４よりも上壁１１（表示画面１７）寄りに位置する。すなわち、コネクタ４３と上壁１１との間の距離は、コネクタ４３と傾斜部１４との間の距離よりも小さい。これにより、電子機器３１が載置面Ｓに置かれたとき、コネクタ４３は、載置面Ｓから比較的高く位置し、ユーザーが使用しやすい。図５に示すように、コネクタ４３の上部には、メカニカルスイッチ４５が設けられている。
【００３５】
図８に示すように、第２側壁３９には、第１側壁３８と同様に、コネクタ４３と、コネクタ４３に対応した開口部４４とが設けられている。コネクタ４３は、上壁１１と傾斜部１４との間に位置する。コネクタ４３は、傾斜部１４よりも上壁１１（表示画面１７）寄りに位置する。
【００３６】
次に、筐体の内部構造を説明する。  
図９に示すように、筐体４は、ベース４７（下カバー、第１部材）と、マスク４８（上カバー、第２部材）とを有する。ベース４７は、第１底壁１２、第２底壁１３、傾斜部１４、前壁３６、後壁３７、第１側壁３８、及び第２側壁３９を含み、上方が開放された椀状に形成されている。ベース４７は、例えば金属製であり、筐体４に強度を与えている。一方、マスク４８は、上壁１１を含む。マスク４８は、表示装置５を覆う化粧部材であり、比較的薄い。マスク４８は、金属製でもよく、プラスチック製でもよい。
【００３７】
ベース４７とマスク４８との間には、タッチセンサ１６、表示装置５、及びミドルプレート４９（ミドルベース、ミドルフレーム）が設けられている。ミドルプレート４９は、補強部材の一例であり、例えば金属製である。ミドルプレート４９とベース４７とによって、筐体４の強度が確保されている。ミドルプレート４９の上面には、表示装置５に対応した凹部が設けられている。
【００３８】
表示装置５及びタッチセンサ１６は、ミドルプレート４９とマスク４８との間で支持される。なお本実施形態では、表示装置５及びタッチセンサ１６は、ねじ固定されない。表示装置５及びタッチセンサ１６は、マスク４８がミドルプレート４９に固定されることで、マスク４８がミドルプレート４９に間に挟まれて保持される。
【００３９】
図１０及び図１１に示すように、筐体４内には、第１基板５１（第１回路基板）、第２基板５２（第２回路基板）、ファン５３、ヒートシンク５４、及びヒートパイプ５５が収容されている。第１基板５１、第２基板５２、ファン５３、ヒートシンク５４、及びヒートパイプ５５は、ベース４７とミドルプレート４９との間に設けられている。
【００４０】
第１基板５１は、例えばメインボードであり、表示装置５に電気的に接続されている。第１基板５１は、第１底壁１２を外れて設けられ、第２底壁１３及び傾斜部１４に向かい合う。すなわち、第１基板５１は、表示装置５と第２底壁１３との間に位置した部分を有する。第１基板５１は、筐体４の長手方向で、筐体４の略中央部に設けられている。
【００４１】
第１基板５１の下面は、発熱部品５６が実装されている。発熱部品５６の一例は、ＣＰＵ(Central Processing Unit)であるが、これに限定されるものでない。発熱部品５６は、放熱が望まれる種々の部品が適宜該当する。発熱部品５６は、表示装置５と第２底壁１３との間に位置する。
【００４２】
図１０及び図１１に示すように、ヒートシンク５４は、排気孔４２に向かい合う。ヒートシンク５４は、例えば複数のフィンを有したフィンユニットである。ヒートパイプ５５は、発熱部品５６とヒートシンク５４との間に延び、発熱部品５６とヒートシンク５４とを熱的に接続している。
【００４３】
ファン５３は、第１基板５１とヒートシンク５４との間に位置する。すなわち、ファン５３は、表示装置５と第２底壁１３との間に位置する。ファン５３は、第２底壁１３に向かい合う第１面（図示せず）と、この第１面とは反対側に位置し、表示装置５（上壁１１）に向かい合う第２面５３ａとを有する。
【００４４】
ファン５３は、遠心タイプであり、第１面及び第２面５３ａに其々吸気口５３ｂを有する。また、ファン５３は、ヒートシンク５４に向かい合う吐出口５３ｃ（排気口）を有する。ファン５３は、吸気口５３ｂから空気を吸い込み、吐出口５３ｃからヒートシンク５４に向けて風を送る。これにより、発熱部品５６の放熱が促進される。
【００４５】
第２基板５２は、第１基板５１に対してファン５３とは反対側に位置する。すなわち、第２基板５２とファン５３との間に第１基板５１が位置する。換言すれば、第２基板５２とファン５３は、筐体４の長手方向で、第１基板５１の両側に分かれて位置する。第２基板５２は、第１基板５１に電気的に接続されている。第２基板５２は、「モジュール」の一例である。なお、「モジュール」は、基板に限定されず、その他の部品でもよい。第２基板５２は、表示装置５と第２底壁１３との間に位置する。
【００４６】
図１２乃至図１６は、第２基板５２を示す。第２基板５２は、第２底壁１３に向かい合う第１面５２ａと、この第１面５２ａとは反対側に位置し、表示装置５（上壁１１）に向かい合う第２面５２ｂとを有する。
【００４７】
第１面５２ａには、記憶モジュール５７（記憶装置、記憶媒体）が実装されている。記憶モジュール５７は、「第１部品」の一例であり、例えば小型のＳＳＤ(Solid State Drive)である。第２面５２ｂには、アンテナモジュール５８が実装されている。アンテナモジュール５８は、「第２部品」の一例であり、例えば３Ｇ(third Generation mobile telecommunications)モジュールである。
【００４８】
記憶モジュール５７及びアンテナモジュール５８は、例えば同サイズのカードモジュールであり、第２基板５２の表裏に分けられて実装されている。記憶モジュール５７及びアンテナモジュール５８は、第２基板５２の平面視において、互いに重ねられている。記憶モジュール５７及びアンテナモジュール５８は、それぞれ長方形状である。記憶モジュール５７の長手方向とアンテナモジュール５８の長手方向とは、略一致する。なお、「第１部品」及び「第２部品」は、これら例に限定されるものではない。
【００４９】
また、第２基板５２の第１面５２ａには、カードソケット５９が実装されている。カードソケット５９の一例は、ＳＩＭ(Subscriber Identity Module)カードが着脱可能に挿入されるＳＩＭソケットである。
【００５０】
図１０及び図１１に示すように、筐体４内の領域は、第１領域Ａ１（第１部分）と、第２領域Ａ２（第２部分）とに大きく分かれる。第１領域Ａ１は、第１底壁１２が位置する。すなわち、第１領域Ａ１は、第１底壁１２と上壁１１との間の空間である。
【００５１】
一方で、第２領域Ａ２は、第２底壁１３及び傾斜部１４が位置する。すなわち、第２領域Ａ２は、第２底壁１３及び傾斜部１４と、上壁１１との間の空間である。第１基板５１、第２基板５２、ファン５３、ヒートシンク５４、及びヒートパイプ５５は、第２領域Ａ２に集中して実装されている。
【００５２】
ここで、第１方向Ｄ１及び第２方向Ｄ２を定義する。第１方向Ｄ１は、第２底壁１３から第１底壁１２に向かう方向である。第２方向Ｄ２は、第１方向Ｄ１とは交差する方向（例えば直交する方向）である。第２方向Ｄ２は、第１側壁３８から第２側壁３９に向かう方向であり、筐体４の長手方向である。筐体４の排気孔４２、ヒートシンク５４、ファン５３、第１基板５１、第２基板５２は、第２方向Ｄ２に並んでいる。
【００５３】
図７及び図１１に示すように、筐体４は、第１乃至第３の吸気孔６１，６２，６３（開口部）を有する。第１吸気孔６１及び第３吸気孔６３は、第２底壁１３に設けられている。第１吸気孔６１は、筐体４の左端部に設けられ、第２基板５２に向かい合う。第３吸気孔６３は、筐体４の右端部にも設けられ、ファン５３に向かい合う。第２吸気孔６２は、傾斜部１４に設けられている。第２吸気孔６２は、筐体４の略中央部に設けられている。
【００５４】
以上のように、第１乃至第３の吸気孔６１，６２，６３は、第２底壁１３と、傾斜部１４とに分かれて設けられている。また、第１乃至第３の吸気孔６１，６２，６３は、筐体４の右端部、中央部、左端部に分かれて設けられている。このため、ユーザーが筐体４を手で持って使用するときでも、ユーザーの手によって全ての吸気孔６１，６２，６３が同時に塞がれにくい。このため、電子機器３１の放熱性を良好に維持することができる。
【００５５】
また、第２底壁１３と、傾斜部１４とは互いに異なる方向に傾斜している。このため、第１乃至第３の吸気孔６１，６２，６３が第２底壁１３と傾斜部１４とに分かれて設けられていると、電子機器３１を物の上に置いて使用するときでも、全ての吸気孔６１，６２，６３が同時には塞がれにくい。このため、電子機器３１の放熱性を良好に維持することができる。
【００５６】
図１０及び図１１に示すように、第３吸気孔６３は、ファン５３の第１面の吸気口５３ｂに向かい合う。すなわち、ファン５３は、第１面の吸気口５３ｂを通じて、第３吸気孔６３から外部の比較的冷たい空気を吸い込み、その空気をヒートシンク５４に向けて送る。
【００５７】
一方で、第１吸気孔６１は、第１基板５１（発熱部品５６）に対して、ファン５３とは反対側に位置する。すなわち、第１基板５１（発熱部品５６）は、第２方向Ｄ２で、第１吸気孔６１とファン５３との間に位置する。ファン５３の第２面５３ａの吸気口５３ｂは、筐体４内の空気を吸い込む。このため、ファン５３が駆動されると、第１吸気孔６１から外部の空気が筐体４内に取り込まれる。
【００５８】
これにより、筐体４の第２領域Ａ２には、第１吸気孔６１からファン５３に向かう風の流れが生じる。この第１吸気孔６１から取り込まれた外気は、ファン５３に向かう途中で、第２基板５２及び第１基板５１（発熱部品５６）を通過し、第２基板５２及び第１基板５１（発熱部品５６）から熱を奪う。これにより、放熱性の向上が図られている。
【００５９】
ここで、第２領域Ａ２は、第１領域Ａ１に比べて筐体４内の空間が厚いため、空気が流れやすい。換言すれば、第１領域Ａ１は、第２領域Ａ２に比べて薄いため、空気が流れにくい。さらに、第２領域Ａ２と第１領域Ａ１との間には、第２領域Ａ２と第１領域Ａ１との厚さの違いによる段差部６５がある。この段差部６５は、筐体４内の空間を、第１領域Ａ１と第２領域Ａ２とに仕切る遮風部として機能する。これにより、筐体４は、厚みがある部分（第２領域Ａ２）に気流が生じやすい。
【００６０】
詳しく述べると、図７及び図１１に示すように、第１乃至第３の吸気孔６１，６２，６３は、筐体４の第２領域Ａ２に設けられている。すなわち、筐体４内の領域は、放熱が望まれる種々の部品が集中的に搭載されて吸気孔６１，６２，６３、排気孔４２、ファン５３によって空気が流れる第２領域Ａ２と、主要部品が搭載されずに、風があまり流れない第１領域Ａ１とに分かれる。
【００６１】
図１０に示すように、筐体４には、さらに遮風部６６が設けられている。遮風部６６は、例えば筐体４の内面から突出したリブである。遮風部６６は、第１底壁１２と第２底壁１３との間に位置し、第２方向Ｄ２に延びている。詳しくは、遮風部６６は、傾斜部１４と第１底壁１２との間に位置する。遮風部６６は、筐体４内の空間を、第１底壁１２が露出した第１領域Ａ１と、第２底壁１３、排気孔４２、ファン５３、発熱部品５６、及び第１乃至第３の吸気孔６１，６２，６３が露出した第２領域Ａ２とに少なくとも部分的に仕切る。
【００６２】
さらに、ミドルプレート４９の下面には、別の遮風部６７が設けられている。遮風部６７の一例は、ミドルプレート４９に取り付けられたスポンジ部材である。遮風部６７は、ベース４７とミドルプレート４９との間に介在され、ベース４７とミドルプレート４９との間の隙間を塞ぐ。
【００６３】
図１１に示すように、詳しくは、遮風部６７は、第１底壁１２と第２底壁１３との間に位置し、第２方向Ｄ２に延びている。遮風部６７は、傾斜部１４と第１底壁１２との間に位置する。遮風部６７は、筐体４内の空間を、第１底壁１２が露出した第１領域Ａ１と、第２底壁１３、排気孔４２、ファン５３、発熱部品５６、及び第１乃至第３の吸気孔６１，６２，６３が露出した第２領域Ａ２とに少なくとも部分的に仕切る。
【００６４】
図１１に示すように、遮風部６６，６７は、第１側壁３８に隣接している。遮風部６６，６７は、ファン５３と第１底壁１２との間に位置する。遮風部６６，６７は、筐体４内に例えば部分的に設けられている。遮風部６６，６７は、例えば第１側壁３８から第１基板５１の前方まで延びている。なお、遮風部６６，６７は、筐体４の長手方向の全幅に亘り設けられてもよい。
【００６５】
ファン５３は、例えば遠心タイプであり、放射状に空気を吸い込む。ここで、遮風部６６，６７がファン５３と第１底壁１２との間に設けられていると、ファン５３は、第１領域Ａ１から空気を吸い込みにくくなる。その結果、ファン５３は、第２領域Ａ２から空気を吸い込みやすくなり、第２領域Ａ２で空気がさらに流れやすくなる。なお、遮風部６６，６７は、どちらか一つだけ設けられてもよい。
【００６６】
図１０及び図１１示すように、第１側壁３８に隣接してペン収容部６８が設けられている。ペン収容部６８は、遮風部６６，６７に沿って設けられている。これにより、比較的長さを有する部材（ペン収容部６８及び遮風部６６，６７）が１箇所にまとめて設けられている。これは、高密度実装に寄与する。
【００６７】
ここで、電子機器３１は、第２端部４ｂを上、第１端部４ａを下にした第１状態（横長状態）で使用することができる。また、電子機器３１は、第１側壁３８を上、第２側壁３９を下にした第２状態（縦長状態）で使用することができる。電子機器３１は、例えば加速度センサ（重力センサ）を有し、電子機器３１が第１状態にあるか、第２状態にあるかを検出する。
【００６８】
電子機器３１は、上記検出結果に基づき、第１状態に対応した横長の画像と、第２状態に対応した縦長の画像との表示を切り替える。なお、これらの表示画面１７の切り替えは、例えば第１基板５１（制御部）により制御される。
【００６９】
一方で、電子機器３１は、第２側壁３９を上、第１側壁３８を下にした状態では使用できないようになっている。具体的には、電子機器３１を、第２側壁３９を上、第１側壁３８を下にした状態では、表示画面１７に上下が正しい画像が表示されない。これにより、ユーザーが、第２側壁３９を上、第１側壁３８を下にした状態で電子機器３１を使用することが抑制される。すなわち、電子機器３１が縦長の姿勢で使用される場合、第１側壁３８が必ず上になる。
【００７０】
図１０に示すように、ペン収容部６８の開口部６８ａは、第１側壁３８に設けられている。これにより、電子機器３１が縦長の姿勢で使用される場合、ペン収容部６８の開口部６８ａは、必ず上に向く。これにより、ペン収容部６８に収容されたペンの落下が抑制される。
【００７１】
また、排気孔４２は、第１側壁３８に設けられている。これにより、電子機器３１が縦長の姿勢で使用される場合、排気孔４２は、必ず上（すなわちユーザーとは反対側）に向く。これにより、排気孔４２から排気される空気がユーザーに向かうことが抑制される。
【００７２】
このような構成によれば、次のような効果がある。  
一般的なスレートＰＣは、ユーザーが手にもって使用することが想定されている。このようなスレートＰＣは、机上に水平に置いた状態では、ユーザーが表示画面を覗き込むような体勢になり、使用勝手が良いとは言えない。特に、大画面のスレートＰＣでは、表示画面を見やすいとは言えない。
【００７３】
一方で、本実施形態の電子機器３１の筐体４は、第１端部４ａと、該第１端部４ａとは反対側に位置し、第１端部４ａよりも厚い第２端部４ｂと、表示画面１７が露出される開口部が設けられ、第１端部４ａと第２端部４ｂとに亘る上壁１１とを有する。これにより、電子機器３１を載置面Ｓに置いたとき、表示画面１７が前下がりに傾斜する。すなわち、電子機器３１は、ユーザー側にチルトする。これにより、ユーザーから見て表示画面１７の視認性が高まり、電子機器３１の使いやすさが向上する。
【００７４】
本実施形態では、筐体４は、表示画面１７との間が第１距離ｔ１で表示画面１７と略平行に延びた第１底壁１２と、表示画面１７との間が第１距離ｔ１よりも大きな第２距離ｔ２で表示画面１７と略平行に延びた第２底壁１３とを有する。これにより、第２端部４ｂを第１端部４ａよりも厚くするとともに、全体として薄く見える電子機器３１を提供することができる。
【００７５】
本実施形態では、筐体４は、第１底壁１２と第２底壁１３との間に位置した傾斜部１４を有する。これにより、第１底壁１２と第２底壁１３との間に角張った部分がなく、電子機器３１の薄型化を図ることができる。
【００７６】
本実施形態では、第１基板５１の少なくとも一部、第２基板５２、発熱部品５６、ヒートシンク５４、及びファン５３は、表示装置５と第２底壁１３との間に位置する。すなわち、厚み（高さ）がある部品を、第１底壁１２から離し、表示装置５と第２底壁１３との間に搭載することで、第１底壁１２と上壁１１との間の距離を小さくすることができる。これにより、電子機器３１をさらに薄く見せることができる。
【００７７】
本実施形態では、第２支持脚３４は、第１支持脚３３よりも高い。これにより、第２端部４ｂが第１端部４ａに対して格段に厚くなくても、任意のチルト角度で表示画面１７を傾けることができる。
【００７８】
（アンテナ及びスピーカの配置構造）  
次に、アンテナ及びスピーカの配置構造について説明する。図１１に示すように、アンテナ７１ａ，７１ｂ、及びスピーカ７２ａ，７２ｂは、筐体４の第１領域Ａ１に設けられている。すなわち、アンテナ７１ａ，７１ｂ、及びスピーカ７２ａ，７２ｂは、表示装置５と第１底壁１２との間に位置する。アンテナ７１ａ，７１ｂ、及びスピーカ７２ａ，７２ｂは、それぞれ発熱部品５６よりも発熱量が小さな部品の一例である。
【００７９】
図１１に示すように、一対のアンテナ７１ａ，７１ｂは、筐体４の左右の端部に分かれて設けられている。すなわち、第１アンテナ７１ａは、第１側壁３８に隣接している。第２アンテナ７１ｂは、第２側壁３９に隣接している。さらに言えば、第１アンテナ７１ａは、筐体４の右前角部に位置する。第２アンテナ７１ｂは、筐体４の左前角部に位置する。
【００８０】
また、筐体４内には、複数の導電部材７３（導電性部材）が設けられている。複数の導電部材７３は、第１アンテナ７１ａ及び第２アンテナ７１ｂをそれぞれ囲むように配置されている。すなわち、複数の導電部材７３は、第１アンテナ７１ａとファン５３との間、第１アンテナ７１ａと第１基板５１との間、第１アンテナ７１ａと第２基板５２との間に位置する。また、別の複数の導電部材７３は、第２アンテナ７１ｂとファン５３との間、第２アンテナ７１ｂと第１基板５１との間、第２アンテナ７１ｂと第２基板５２との間に位置する。
【００８１】
換言すれば、第１アンテナ７１ａは、第１側壁３８と、前壁３６と、導電部材７３とに囲まれている。すなわち、第１アンテナ７１ａは、第１側壁３８と、導電部材７３との間に位置する。第１アンテナ７１ａは、前壁３６と、導電部材７３との間に位置する。一方、第２アンテナ７１ｂは、第２側壁３９と、前壁３６と、導電部材７３とに囲まれている。すなわち、第２アンテナ７１ｂは、第２側壁３９と、導電部材７３との間に位置する。第２アンテナ７１ｂは、前壁３６と、導電部材７３との間に位置する。
【００８２】
導電部材７３の一例は、いわゆるガスケットであり、スポンジ部材と、このスポンジ部材の表面に取り付けられた導電性被膜とを有する。導電部材７３は、金属製のベース４７と、金属製のミドルプレート４９との間に介在され、ベース４７及びミドルプレート４９の少なくとも一方と電気的に接続されている。導電部材７３は、ＥＳＤ(Electro-Static discharge)、またはＥＭＩ(Electro Magnetic Interference)用の部材として機能する。
【００８３】
図１１に示すように、一対のスピーカ７２ａ，７２ｂは、前壁３６の左右の端部に分かれて設けられている。図５に示すように、前壁３６は、第１方向Ｄ１に開口した放音孔７４（開口部）を有する。スピーカ７２ａ，７２ｂは、放音孔７４に対向し、第１方向Ｄ１に音を放出する。すなわち、電子機器３１は、前壁３６から音を放出する。
【００８４】
（バッテリ実装構造）  
次に、バッテリ実装構造について説明する。図９に示すように、電子機器３１は、バッテリ７５を備える。図８に示すように、筐体４の第２端部４ｂは、バッテリ７５が取り付けられるバッテリ収容部７６（バッテリ取付部、バッテリ受け部）を有する。バッテリ収容部７６は、筐体４の左右端部で後方に突出した一対の突出部７６ａ，７６ｂと、この突出部７６ａ，７６ｂの間に設けられた凹部７６ｃとを有する。凹部７６ｃは、バッテリ７５に対応した深さ（奥行き）だけ突出部７６ａ，７６ｂから凹んでいる。凹部７６ｃは、後方及び上下方向に開放されている。凹部７６ｃは、第２底壁１３と上壁１１とに亘る。すなわち、凹部７６ｃは、ベース４７とマスク４８とに亘る。
【００８５】
図１７及び図１８に示すように、凹部７６ｃには、コネクタ７７が設けられている。コネクタ７７は、バッテリ７５が接続されるバッテリコネクタである。換言すると、第１コネクタ１８が筐体４の第１端部４ａ（前端部）に設けられ、コネクタ７７が筐体４の第２端部４ｂ（後端部）に設けられている。すなわち、筐体４の対向する両端部にバッテリコネクタがそれぞれ設けられている。
【００８６】
図５及び図２０に示すように、バッテリ７５は、筐体４の第２端部４ｂに着脱可能に取り付けられ、筐体４の第２端部４ｂに沿う。バッテリ７５は、バッテリ収容部７６の凹部７６ｃに収容される。バッテリ７５は、筐体４の第２端部４ｂと略同じ厚さを有する。
【００８７】
これにより、図２０に示すように、バッテリ７５の上面７５ａは、筐体４の上壁１１と略同一平面上に位置する。バッテリ７５の下面７５ｂは、筐体４の第２底壁１３と略同一平面上に位置する。バッテリ７５は、第１方向Ｄ１で、表示装置５の少なくとも一部と並ぶ。バッテリ７５は、例えば少なくとも表示装置５のバックライトと横に並ぶ。このような構成によれば、電子機器３１の薄型化を図ることができる。本実施形態では、バッテリ７５の厚さ内に表示装置５が配置されている。
【００８８】
（筐体の組立構造）  
次に、筐体４の組立構造について説明する。  
図２１及び図２２は、ミドルプレート４９を示す。図２２に示すように、ミドルプレート４９は、複数のねじ８１，８２で、ベース４７に固定される。詳しく述べると、複数のねじ８１，８２は、例えば、１本の第１ねじ８１と、複数の第２ねじ８２とを含む。第１ねじ８１は、通常のねじである。第２ねじ８２は、段付きねじである（図２３参照）。図２２に示すように、第１ねじ８１は、ミドルプレート４９の略中央部に取り付けられる。複数の第２ねじ８２は、ミドルプレート４９の前後左右の端部に取り付けられる。
【００８９】
図２４乃至図２５に示すように、ミドルプレート４９は、ベース４７とマスク４８との間に位置する。ベース４７及びマスク４８は、ミドルプレート４９の後端部を覆う部分を有しない。これにより、ミドルプレート４９の後端部は、バッテリ収容部７６の凹部７６ｃに露出される。すなわち、ミドルプレート４９の後端部は、筐体４の外部に露出される。換言すれば、ミドルプレート４９によって、筐体４の外壁の一部が構成されている。
【００９０】
このような構成によれば、マスク４８の後端部に、ミドルプレート４９を覆う折曲部を設けなくて済む。このため、マスク４８の形状を簡略化することができる。なお、凹部７６ｃに露出されたミドルプレート４９は、バッテリ７５によって覆い隠される。これにより、美観の向上を図ることができる。
【００９１】
図２５乃至図２７に示すように、マスク４８は、フック８３と、２本のねじ８４だけで、ベース４７及びミドルプレート４９に固定される。図２６に示すように、マスク４８の前端部４８ａ（第１端部）は、フック８３（第１係合部）を有する。ベース４７は、フック８３が係合可能なフック受け８５（第２係合部）を有する。フック受け８５は、筐体４の内面に設けられている。フック８３は、筐体４の内側からフック受け８５に係合する。これにより、マスク４８の前端部４８ａは、ベース４７に固定される。
【００９２】
図９に示すように、マスク４８の後端部４８ｂ（第２端部）は、上壁１１から突出し、ミドルプレート４９に後方から向かい合う複数の固定部８６を有する。固定部８６は、例えば２つ設けられている。固定部８６は、ねじ８４が通される挿通孔８６ａを有する。図２７に示すように、ミドルプレート４９は、挿通孔８６ａに向かい合うねじ穴４９ａを有する。ねじ８４が挿通孔８６ａに通されてねじ穴４９ａに係合することで、マスク４８の後端部４８ｂは、ミドルプレート４９に固定される。
【００９３】
以上により、マスク４８の前端部４８ａは、フック８３でベース４７に固定され、マスク４８の後端部４８ｂは、ねじ８４でミドルプレート４９に固定される。これにより、マスク４８は、ベース４７及びミドルプレート４９に固定される。
【００９４】
このような構成によれば、比較的少ない数のねじ８４（例えば２本のねじ８４）で、マスク４８を固定することができる。これにより、部品点数を削減し、コスト削減及び組立作業性の向上を図ることができる。なお、マスク４８を固定するねじ８４は、バッテリ収容部７６のみに露出される。このねじ８４は、バッテリ７５によって覆い隠される。これにより、美観の向上を図ることができる。
【００９５】
（ボタンの配置構造）  
図５に示すように、第１側壁３８は、第１ボタン８７を有する。図８に示すように、第２側壁３９は、第２ボタン８８（第２ボタン）を有する。第１ボタン８７及び第２ボタン８８は、バッテリ収容部７６の突出部７６ａ，７６ｂに設けられている。すなわち、第１ボタン８７及び第２ボタン８８は、バッテリ７５の両側に分かれて位置する。第１ボタン８７及び第２ボタン８８は、それぞれ筐体４の側方に向いている。
【００９６】
第１ボタン８７は、電子機器３１のＯＮ／ＯＦＦを操作する電源ボタン（パワーボタン）である。第２ボタン８８は、ＳＵＳ(Secure Attention Sequence)ボタンである。すなわち、第２ボタン８８は、一般的なＰＣシステムにおけるキーボードに割り付けられた「Ｃｔｒｌ」＋「Ａｌｔ」＋「Ｄｅｌ」の同時押しに対応する機能が割り付けられ、アプリケーションのメンテナンス機能が操作可能である。例えば、アプリケーションが応答しなくなった場合に、第２ボタン８８を押すことで、応答しなくなったアプリケーションを強制終了させることが可能である。
【００９７】
本実施形態の電子機器３１は、ハードウエアとしてのキーボードを有しない。このような電子機器３１では、アプリケーションが応答しなくなった場合に、ソフトキーボードが起動不可になる可能性がある。このため、ＳＵＳスイッチを備えることで、利便性を確保することができる。なお、このＳＵＳスイッチは、ユーザーから見て左側となる第２ボタン８８に割り付けられている。すなわち、右利きのユーザーにとって押し難い位置に第２ボタン８８がある。これにより、押し間違いなどによる第２ボタン８８の誤動作を抑制することができる。
【００９８】
（誤動作防止のリブ構造）  
次に、誤動作防止のリブ構造について説明する。図２８に示すように、第１ボタン８７に隣接した筐体下面には、第１ボタン８７（電源ボタン）のロック８９（ロックスイッチ）が設けられている。ロック８９は、第１位置Ｐ１（解除位置）と、第２位置Ｐ２（ロック位置）とで移動可能である。
【００９９】
ロック８９が第１位置Ｐ１にあるとき、第１ボタン８７は操作可能であり、第１ボタン８７は入力を受け付ける。ロック８９が第２位置Ｐ２にあるとき、第１ボタン８７は操作が制限され、第１ボタン８７は入力を受け付けない。これにより、ユーザーは、ロック８９を第２位置Ｐ２に移動させることで、第１ボタン８７の誤動作を防止することができる。
【０１００】
図２８及び図２９に示すように、筐体下面（第２底壁１３）には、例えばすり鉢状の凹部９０が設けられている。凹部９０の底には開口部９０ａが設けられている。ロック８９は、開口部９０ａに位置し、筐体４の外部に露出されている。ロック８９は、凹部９０の内側に収まり、凹部９０の外側には突出していない。すなわち、ロック８９は、筐体下面（第２底壁１３）よりも外側には突出していない。本実施形態では、ロック８９の先端は、筐体下面（第２底壁１３）と略同一平面に位置する。なお、ロック８９の先端は、筐体下面（第２底壁１３）よりも、凹部９０の底近くに位置してもよい。
【０１０１】
図２８に示すように、凹部９０は、長穴状であり、第１縁部９０ｂ（第１端部）と、第２縁部９０ｃ（第２端部）とを有する。第１縁部９０ｂは、第１位置Ｐ１にあるロック８９に向かい合う。第２縁部９０ｃは、第１縁部９０ｂとは反対側に位置し、第２位置Ｐ２にあるロック８９に向かい合う。
【０１０２】
図２８及び図２９に示すように、凹部９０の第２縁部９０ｃには、誤動作防止用のリブ９１が設けられている。リブ９１は、「突出部」または「突起」の一例である。リブ９１は、筐体下面（第２底壁１３）から筐体４の外側に向いて突出し、第２縁部９０ｃに沿って円弧状に設けられている。リブ９１は、ロック８９の先端よりも外側に突出している。リブ９１は、第１位置Ｐ１とは反対側から、第２位置Ｐ２にあるロック８９に向かい合う。
【０１０３】
例えば、リブ９１が設けられていない電子機器では、ロック８９を第２位置Ｐ２に移動させた状態で電子機器を鞄に入れる時、ロック８９が鞄の内面に引っ掛かり、ロック８９が解除されてしまう可能性がゼロではない。そこで、本実施形態では、第２縁部９０ｃにリブ９１が設けられている。このようなリブ９１が設けられていると、ロック８９の誤った解除を抑制することができる。
【０１０４】
（コネクタ蓋の取付構造）  
次に、図８、図３０、図３１を参照して、コネクタ蓋の取付構造について説明する。図８に示すように、第２側壁３９には、コネクタ９２が設けられている。第２側壁３９は、コネクタ９２が外部に露出する開口部９３が設けられている。この開口部９３には、コネクタ９２を覆う蓋９４（コネクタ蓋）が着脱可能に取り付けられている。すなわち、蓋９４が開口部９３から取り外されることで、コネクタ９２が外部に露出される。コネクタ９２は、ミドルプレート４９に固定されている。
【０１０５】
図３０に示すように、ベース４７（筐体４）の内面には、コネクタ９２に向いて突出した突起９５が設けられている。蓋９４は、コネクタ９２を外部から覆う蓋部９４ａ（蓋本体）と、この蓋部９４ａを支持する支持部９４ｂと、抜止部９４ｃとを有する。支持部９４ｂは、蓋部９４ａの端部からコネクタ９２と突起９５との間を通り、突起９５よりも筐体４の内側に延びている。
【０１０６】
抜止部９４ｃは、支持部９４ｂの先端に設けられ、突起９５よりも筐体４の内側に位置する。抜止部９４ｃは、コネクタ９２と突起９５との間の隙間よりも大きい。このため、抜止部９４ｃは、突起９５を超えて筐体４の外側に移動できない。これにより、蓋９４が筐体４から外れない。
【０１０７】
このような構成によれば、コネクタ９２の蓋９４を、コネクタ９２自身で押さえることができる。このため、蓋９４を固定する固定部材を省略することができる。これにより、コスト削減を図ることができる。
【０１０８】
（電源ソケット構造）  
図８に示すように、筐体４には、電源コネクタ９６が設けられている。電源コネクタ９６には、例えば家庭用電源に接続されたジャックが接続可能である。第２側壁３９は、開口部９７を有する。電源コネクタ９６は、開口部９７から筐体４の外部に露出する。第２側壁３９を含むベース４７は、金属製である。
【０１０９】
図３２及び図３３に示すように、第２側壁３９の背後には、非導電部材９８（非金属部材）が設けられている。非導電部材９８は、例えば樹脂製である。非導電部材９８は、第１部分９８ａと、第２部分９８ｂとを有する。
【０１１０】
第１部分９８ａは、第２ボタン８８の背後に位置し、第２ボタン８８に向かい合う。第１部分９８ａは、スイッチ９９を保持するホルダである。スイッチ９９は、第２ボタン８８に向かい合い、第２ボタン８８によって操作される。
【０１１１】
第２部分９８ｂは、電源コネクタ９６と第２側壁３９の開口部９７との間に位置する。第２部分９８ｂは、開口部９７の内周面に沿う筒状の部分を有し、開口部９７に挿入されている。第２部分９８ｂは、第２側壁３９と電源コネクタ９６とが直接に接することを防止する保護部材（いわゆるＤＣ−ｉｎソケット）である。
【０１１２】
換言すると、本実施形態では、開口部９７に挿入される保護部材と、スイッチ９９を保持するホルダとが一体に構成されている。これにより、部品点数の削減が可能になり、電子機器３１のコストを低減することができる。なお、非導電部材９８によって保護されるコネクタは、電源コネクタに限定されず、他のコネクタにも適用可能である。
【０１１３】
（ドックの筐体構造）  
次に、図３４乃至図５０を参照して、電子機器３１が着脱可能に取り付けられるドック３２について説明する。ドック３２は、「電子機器」の一例であるとともに、「支持ユニット」、「支持部」、「台」、「接続機」、「拡張装置」の其々一例である。
【０１１４】
図３４及び図３５に示すように、ドック３２は、第２筐体２１を有する。第２筐体２１は、ベース１０１、ホルダ２３、及び収容部１０２を有する。ベース１０１（台座部）は、扁平な箱状に形成され、載置面Ｓに置かれる。ベース１０１は、底壁２２、上壁１０４、及び周壁１０５を有する。底壁２２は、板状（平面状）に形成され、載置面Ｓと略平行である。底壁２２は、載置面Ｓに置かれ、載置面Ｓに向かい合う。上壁１０４は、底壁２２と略平行に延びている。周壁１０５は、底壁２２の端部から起立し、底壁２２と上壁１０４との間を繋ぐ。
【０１１５】
図３４及び図３５に示すように、ホルダ２３は、ベース１０１の前端部に設けられ、ベース１０１に対して上方に起立している。ホルダ２３は、「保持部」の一例である。図３７乃至図４０に示すように、ホルダ２３には、電子機器３１が着脱可能に取り付けられる。ホルダ２３は、電子機器３１を、載置面Ｓに対して立て起こした姿勢で支持する。図３８及び図３９に示すように、ホルダ２３は、底壁２２に対して後方に傾斜している。このため、電子機器３１がドック３２に支持された状態で、表示画面１７は後方に傾く。これにより、視認性や使いやすさが向上する。
【０１１６】
ここで、別の観点から新しい第１方向Ｒ１、第２方向Ｒ２、及び第３方向Ｒ３を定義する。図３８に示すように、第１方向Ｒ１は、底壁２２に対して傾斜したホルダ２３と略平行な方向である。すなわち、第１方向Ｒ１は、底壁２２に対して傾斜している。第１方向Ｒ１は、ホルダ２３に装着された電子機器３１の表示画面１７、上壁１１、第１底壁１２、及び第２底壁１３と略平行である。
【０１１７】
第２方向Ｒ２は、第１方向Ｒ１とは交差する方向（例えば略直交する方向）である。第２方向Ｒ２は、例えばホルダ２３の厚さ方向である。図３４に示すように、第３方向Ｒ３は、第１方向Ｒ１及び第２方向Ｒ２とは交差する方向（例えば略直交する方向）である。第３方向Ｒ３は、例えばホルダ２３の長手方向（横幅方向）である。
【０１１８】
図３８及び図３９に示すように、ホルダ２３には、電子機器３１が第１方向Ｒ１から挿入される。具体的には、電子機器３１は、第１方向Ｒ１に表示画面１７が沿う姿勢（すなわち、第１方向Ｒ１と表示画面１７が略平行となる姿勢）でホルダ２３に取り付けられる。すなわち、電子機器３１は、表示画面１７と略平行な方向を挿入方向として、ホルダ２３に挿入される。
【０１１９】
図３４に示すように、ホルダ２３は、受壁１１０、第１支持壁１１１、第２支持壁１１２、及び第３支持壁１１３を有する。受壁１１０（底壁）は、ホルダ２３の下部に位置し、略水平に延びている。受壁１１０は、電子機器３１の前壁３６に向かい合う。受壁１１０は、底壁２２に対して傾斜し、第１方向Ｒ１に略垂直である。受壁１１０は、第１方向Ｒ１で電子機器３１の前壁３６が当接し、電子機器３１の前壁３６を受ける。受壁１１０は、第１端部１１０ａ（前端部）と、この第１端部１１０ａとは反対側に位置した第２端部１１０ｂ（後端部）とを有する。
【０１２０】
第１支持壁１１１（第１支持部）は、ホルダ２３の左右の両端部（長手方向の両端部）に部分的に設けられている。第１支持壁１１１は、受壁１１０の第１端部１１０ａから起立し、第１方向Ｒ１と略平行である。第１支持壁１１１は、電子機器３１の上壁１１と略平行であり、電子機器３１の上壁１１に向かい合う。第１支持壁１１１は、「第１壁」の一例であり、電子機器３１の上壁１１を支持する。第１支持壁１１１が設けられていない領域では、ホルダ２３は、前方に開放されている。
【０１２１】
第２支持壁１１２（第２支持部）は、受壁１１０の第２端部１１０ｂの略全長に亘り設けられている。第２支持壁１１２は、受壁１１０の第２端部１１０ｂから起立し、第１方向Ｒ１と略平行である。第２支持壁１１２は、電子機器３１の第１底壁１２と略平行であり、電子機器３１の第１底壁１２に向かい合う。第２支持壁１１２は、「第２壁」の一例であり、電子機器３１の第１底壁１２を支持する。
【０１２２】
図３９に示すように、第２支持壁１１２は、第１支持壁１１１よりも高くまで延びている。第２支持壁１１２は、例えば電子機器３１の第１底壁１２に向かい合う。第２支持壁１１２は、電子機器３１の傾斜部１４及び第２底壁１３を覆わない。このため、電子機器３１がホルダ２３に支持された状態では、電子機器３１の第１乃至第３の吸気孔６１，６２，６３は、ホルダ２３に覆われず、外部に露出される（開放される）。このため、電子機器３１は、ホルダ２３に装着された状態でも、吸気孔６１，６２，６３を通じて外気を取り込み可能である。
【０１２３】
図３４に示すように、第２支持壁１１２は、第１部分１１２ａと、第２部分１１２ｂとを有する。第１部分１１２ａは、第２支持壁１１２の大部分を構成する。図３９に示すように、第１部分１１２ａと第１支持壁１１１との間の間隔ｗ１（距離）は、電子機器３１の厚さ（すなわち第１底壁１２と上壁１１との間の距離ｔ１）よりも大きい。
【０１２４】
図３４及び図３８に示すように、第１部分１１２ａは、電子機器３１の第１底壁１２に向かい合う平面１１４（平面部）と、この平面１１４から突出し、電子機器３１の第１底壁１２に当接する凸部１１５とを有する。凸部１１５は、電子機器３１の姿勢を規定する位置決め部の一例である。電子機器３１は、凸部１１５に支持され、平面１１４から離れた状態でホルダ２３に支持される。これにより、電子機器３１とホルダ２３との面接触が抑制され、電子機器３１の表面に傷がつきにくい。
【０１２５】
図３４に示すように、第２部分１１２ｂは、第２支持壁１１２の左右の両端部に設けられ、第１支持壁１１１に向かい合う。図３９に示すように、第２部分１１２ｂと第１支持壁１１１との間の間隔ｗ２（距離）は、電子機器３１の厚さ（すなわち第１底壁１２と上壁１１との間の距離ｔ１）と略同じである。これにより、電子機器３１は、第２部分１１２ｂと第１支持壁１１１との間で保持される。
【０１２６】
図３４に示すように、第３支持壁１１３（第３支持部）は、ホルダ２３の左右の端部にそれぞれ設けられ、第１支持壁１１１と第２支持壁１１２との間に延びている。一対の第３支持壁１１３は、電子機器３１の第１側壁３８及び第２側壁３９に向かい合う。この構成により、ホルダ２３は、前、後、及び左右の側方に支持壁を有する。これにより、電子機器３１のドック３２への着脱性が向上するとともに、姿勢が安定する。
【０１２７】
図３５に示すように、収容部１０２は、第２支持壁１１２の背後に設けられている。収容部１０２は、ベース１０１の上方に突出した箱状に形成され、背壁１２１、上壁１２２、左右の側壁１２３，１２４を有する。背壁１２１は、左右の側壁１２３，１２４の後端部に対して窪んでいる。背壁１２１は、「コネクタ装着部」の一例である。背壁１２１には、複数のコネクタ１２５が設けられている（露出されている）。本実施形態では、コネクタ装着部は、左右の側壁１２３，１２４の後端部よりも内側に位置する。
【０１２８】
（コネクタのフローティング構造）  
次に、コネクタのフローティング構造について説明する。図３４に示すように、ホルダ２３の受壁１１０は、開口部２４を有する。ドック３２は、電子機器３１に接続される第２コネクタ２５を有する。第２コネクタ２５は、開口部２４に位置し、開口部２４の外側に突出している。
【０１２９】
図４５に示すように、第２コネクタ２５は、底壁２２に対して傾斜し、受壁１１０と略平行である。第２コネクタ２５は、第１方向Ｒ１と略平行である。第２コネクタ２５は、第１方向Ｒ１で電子機器３１の第１コネクタ１８に向かい合い、第１コネクタ１８に接続される。すなわち、第１方向Ｒ１は、コネクタ１８，２５の挿抜方向である。
【０１３０】
図４１乃至図４４に示すように、ドック３２は、支持ベース１３１と、一対の支持部１３２とを有する。支持ベース１３１は、「コネクタベース」、「コネクタホルダ」、「支持体」、「保持体」の其々一例である。支持ベース１３１は、底壁２２に対して傾斜し、受壁１１０と略平行である。
【０１３１】
支持ベース１３１には、第２コネクタ２５と、第２コネクタ２５が実装された基板１３３（回路基板）とが取り付けられている。図４５に示すように、第２コネクタ２５及び基板１３３は、支持ベース１３１と略平行であり、底壁２２に対して傾斜している。
【０１３２】
図４２に示すように、一対の支持部１３２は、支持ベース１３１の両側に分かれて設けられ、支持ベース１３１を支持する。各支持部１３２は、固定部１３５、傾斜部１３６、及びアーム１３７を有する。固定部１３５、傾斜部１３６、アーム１３７は、其々支持部の「部分」の一例である。
【０１３３】
底壁２２は、支持部１３２が固定される取付部１３８を有する。取付部１３８の一例は、ボスである。取付部１３８は、第２コネクタ２５の両側に其々設けられている。固定部１３５は、板状に形成され、底壁２２と略平行に延びている。固定部１３５は、底壁２２の取付部１３８に取り付けられている。固定部１３５は、取付部１３８に例えばねじ止め固定される。
【０１３４】
図４４に示すように、傾斜部１３６は、固定部１３５の端部から起立し、板状に形成されている。傾斜部１３６は、固定部１３５に対して後方に傾斜している。すなわち、傾斜部１３６は、固定部１３５から第１方向Ｒ１に延びている。換言すれば、アーム１３７が第１方向Ｒ１に傾くように、傾斜部１３６によって、底壁２２に対してアーム１３７が捻じられている。
【０１３５】
アーム１３７は、傾斜部１３６と支持ベース１３１との間に延びる。アーム１３７は、傾斜部１３６に支持され、第１方向Ｒ１に傾斜している。アーム１３７は、第２方向Ｒ２及び第３方向Ｒ３で九十九折状に折り曲げられ、第２方向Ｒ２及び第３方向Ｒ３に弾性変形可能な部分を有する。これにより、アーム１３７は、第２方向Ｒ２及び第３方向Ｒ３に第２コネクタ２５を移動可能に支持している。
【０１３６】
また、電子機器３１がドック３２に装着されていない状態では、第２コネクタ２５は、支持部１３２に支持され、デフォルトポジション（初期位置、基準位置）に位置する。ドック３２に装着されていた電子機器３１がドック３２から取り外された時、第２コネクタ２５は、支持部１３２に支持され、デフォルトポジションに復帰する。
【０１３７】
図４２乃至図４４に示すように、アーム１３７は、３つの直線部１３７ａ，１３７ｃ，１３７ｅと、２つの円弧部１３７ｂ，１３７ｄ（曲部）とを有する。第１直線部１３７ａは、傾斜部１３６に接続され、傾斜部１３６から支持ベース１３１に向かって延びている。第１円弧部１３７ｂは、第１直線部１３７ａから延び、円弧状に１８０度曲がっている。第２直線部１３７ｃは、第１円弧部１３７ｂから支持ベース１３１とは反対側に向いて延びている。第２円弧部１３７ｄは、第２直線部１３７ｃから延び、円弧状に１８０度曲がっている。第３直線部１３７ｅは、第２円弧部１３７ｄから支持ベース１３１に向いて延び、支持ベース１３１に接続されている。
【０１３８】
図４４に示すように、アーム１３７は、第１端部１４１と、第２端部１４２とを有する。第１端部１４１は、支持ベース１３１に接続され、支持ベース１３１（第２コネクタ２５）を支持している。第２端部１４２は、第１端部１４１とは反対側に位置する。第２端部１４２は、傾斜部１３６に接続され、傾斜部１３６に支持されている。
【０１３９】
ここで、第２端部１４２は、第１端部１４１よりも、前方に位置する。すなわち、第２端部１４２は、第１端部１４１よりも、第２支持壁１１２から遠くに位置する。図４４に示すように、第２端部１４２は、第１端部１４１よりも高くに位置する。これにより、第２端部１４２と底壁２２との間の空間は、第１端部１４１と底壁２２との間の空間よりも広い。これにより、取付部１３８への支持部１３２の取付作業性が向上する。
【０１４０】
図４４に示すように、基板１３３の少なくとも一部は、アーム１３７と、第２支持壁１１２との間に位置する。すなわち、基板１３３は、支持ベース１３１よりも後方に延びている。図４５に示すように、基板１３３は、支持ベース１３１よりも、底壁２２の近くに位置する。これにより、基板１３３の実装に必要な高さを抑えることができる。
【０１４１】
図４４に示すように、アーム１３７は、第１方向Ｒ１に沿う板状である。これにより、第２方向Ｒ２及び第３方向Ｒ３に比べて、第１方向Ｒ１の強度が高い。すなわち、アーム１３７は、第２方向Ｒ２及び第３方向Ｒ３に弾性変形可能であるとともに、第１方向Ｒ１には変形しにくい。アーム１３７は、第１方向Ｒ１で比較的大きな負荷を受けることができる。
【０１４２】
図４５に示すように、第２筐体２１には、支持ベース１３１（基板１３３）を受ける受け部１４４が設けられている。受け部１４４は、第１コネクタ１８とは反対側から支持ベース１３１（基板１３３）を支持可能である。受け部１４４は、第２コネクタ２５に加わる第１方向Ｒ１の力を受ける。すなわち、受け部１４４は、電子機器３１を第２コネクタ２５に取り付ける時に第２コネクタ２５に加わる力の少なくとも一部を受ける。換言すれば、受け部１４４により、第２コネクタ２５の第１方向Ｒ１の移動が規制される。
【０１４３】
これにより、第２コネクタ２５が第１方向Ｒ１の位置が安定し、第１コネクタ１８と第２コネクタ２５との間の接続不良を抑制することができる。なお、受け部１４４は、通常時に支持ベース１３１に当接してもよいし、通常時には支持ベース１３１から離れるとともに、負荷作用時に支持ベース１３１に当接してもよい。
【０１４４】
図４５に示すように、基板１３３は、受け部１４４に向かい合う領域に、グランド部１４５を有する。グランド部１４５は、基板１３３の表面に露出した導電部であり、部品は実装されていない。受け部１４４に向かい合う部分は、受け部１４４から大きな反力が加わる可能性がある。ここで、グランド部１４５は、仮に破損しても基板１３３の機能に大きな影響を与えにくい。すなわち、受け部１４４に向かい合う部分に電子部品を実装せずにグランド部１４５を設けることで、ドック３２の信頼性を向上させることができる。
【０１４５】
図３６に示すように、ホルダ２３の開口部２４は、第１端部２４ａと、第２端部２４ｂとを有する。第１端部２４ａは、例えば前端部である。第２端部２４ｂは、第１端部２４ａとは反対側に位置し、例えば後端部である。第２端部２４ｂの横幅は、第１端部２４ａの横幅よりも大きい。すなわち、開口部２４は、後側に進むに従い横幅が大きくなるクサビ形をしている。
【０１４６】
図３６及び図４２に示すように、支持ベース１３１には、ガイド部１４６が設けられている。ガイド部１４６は、第２コネクタ２５の周りに位置し、第２コネクタ２５と一体に支持部１３２に支持されている。ガイド部１４６は、開口部２４よりも一回り小さいとともに、開口部２４と略同じ外形（すなわちクサビ形）を有する。ガイド部１４６は、開口部２４に挿入され、開口部２４の内周面に向かい合う。
【０１４７】
開口部２４の内周面とガイド部１４６との間には、隙間ｃが設けられている。この隙間ｃだけ、第２コネクタ２５は、開口部２４内で移動することができる。すなわち、開口部２４の内周面とガイド部１４６とで、第２方向Ｒ２及び第３方向Ｒ３の第２コネクタ２５の移動範囲が規制されている。換言すれば、第２コネクタ２５は、開口部２４の内周面とガイド部１４６との間の隙間ｃだけ、第２方向Ｒ２及び第３方向Ｒ３に移動することができる。
【０１４８】
なお、開口部２４の第２端部２４ｂとガイド部１４６との間の隙間ｃは、開口部２４の第１端部２４ａとガイド部１４６との間の隙間ｃよりも大きい。これにより、第２コネクタ２５は、前方に比べて後方に大きくずれることができる。
【０１４９】
図３９に示すように、第２方向Ｒ２は、電子機器３１がホルダ２３に支持された状態で、表示画面１７に略垂直な方向である。第２方向Ｒ２は、表示画面１７（タッチセンサ１６）の操作時に、表示画面１７に対してユーザーが負荷を加える方向である。本実施形態によれば、ユーザーからの負荷が加わった時、電子機器３１は、第２方向Ｒ２に後退することで、負荷の影響を小さくすることができる。
【０１５０】
図４６に示すように、第２筐体２１内には、導電部１４７が設けられている。導電部１４７の一例は、底壁２２に取付けられた金属部材（例えば板金）である。導電部１４７は、ドック３２のグランドに電気的に接続されている。導電部１４７は、第１コネクタ１８とは反対側から基板１３３に向かい合う。
【０１５１】
導電部１４７と、基板１３３との間には、ばね１４８が設けられている。ばね１４８の一例は、板ばねであるが、これに限定されるものではない。ばね１４８は、第１端部１４８ａと、この第１端部１４８ａとは反対側に位置した第２端部１４８ｂとを有する。第１端部１４８ａは、基板１３３と略平行に延び、基板１３３に取り付けられている。第１端部１４８ａは、基板１３３に固定され、基板１３３のグランドに電気的に接続されている。
【０１５２】
ばね１４８の第２端部１４８ｂは、導電部１４７と略平行に延び、導電部１４７に向かい合う。第２端部１４８ｂは、導電部１４７に固定されておらず、導電部１４７に対して自由である。第２端部１４８ｂは、導電部１４７に向かい合う凸部１４８ｃを有する。凸部１４８ｃは、導電部１４７に接し、導電部１４７に電気的に接続される。これにより、基板１３３のグランドは、ばね１４８を介して、導電部１４７に電気的に接続される。
【０１５３】
ばね１４８は、導電部１４７と基板１３３との間に位置し、導電部１４７と基板１３３との間で圧縮されている。このため、底壁２２から離れる方向に基板１３３が動いても、ばね１４８によって、基板１３３と導電部１４７との間のグランド接続が維持される。ばね１４８は、凸部１４８ｃでのみ導電部１４７に接している。これにより、ばね１４８のこすれによる損傷が抑制される。
【０１５４】
（ドックの放音構造）  
次に、図４７乃至図４９を参照して、ドック３２の放音構造について説明する。図４９に示すように、電子機器３１の前壁３６は、放音孔７４を有する。電子機器３１がドック３２に取り付けられたとき、電子機器３１の前壁３６は、ホルダ２３の受壁１１０に向かい合う。
【０１５５】
図４８に示すように、受壁１１０は、凹部１５１（窪み部）を有する。凹部１５１は、電子機器３１の放音孔７４に向かい合う。凹部１５１は、受壁１１０の他の領域に比べて窪んで低くなっている。これにより、凹部１５１と電子機器３１の前壁３６との間には、放音孔７４から音が外部に放出される隙間が空けられる。
【０１５６】
図５０は、ドック３２の変形例を示す。図５０に示すように、第２筐体２１は、電子機器３１の放音孔７４からの音を外部に向かって通す開口部１５２を有する。これにより、電子機器３１の放音孔７４から音が、遮断されることなく外部に放出される。
【０１５７】
このような構成によれば、電子機器３１及びドック３２の損傷抑制を図ることができる。すなわち、本実施形態では、ドック３２は、ホルダ２３と、コネクタ２５と、支持部１３２とを有する。ホルダ２３は、電子機器３１が表示画面１７と略平行な第１方向Ｒ１で取り付け可能である。コネクタ２５は、ホルダ２３の開口部２４に位置し、電子機器３１に接続される。支持部１３２は、第１方向Ｒ１とは交差する第２方向Ｒ２に弾性変形可能な部分を有し、コネクタ２５を支持する。
【０１５８】
これにより、電子機器３１のドック３２への取付時に、コネクタ２５が適度に移動可能であり、電子機器３１とドック３２との間に大きな負荷が生じることを抑制することとができる。これにより、電子機器３１及びドック３２の損傷防止を図ることができる。
【０１５９】
本実施形態では、ホルダ２３は、底壁２２に対して傾斜した第１方向Ｒ１から電子機器３１が挿入可能である。支持部１３２は、固定部１３５と、傾斜部１３６と、アーム１３７とを有する。固定部１３５は、底壁２２と略平行に延び、第２筐体２１に固定されている。傾斜部１３６は、固定部１３５に対して第１方向Ｒ１に傾斜している。アーム１３７は、傾斜部１３６に支持され、第１方向Ｒ１に傾斜するとともに、第１方向Ｒ１とは交差する第２方向Ｒ２及び第３方向Ｒ３で弾性変形可能に九十九折状に折り曲げられ、コネクタ２５を第２方向Ｒ２及び第３方向Ｒ３に移動可能に支持する。
【０１６０】
これにより、支持部１３２は、コネクタ２５の挿抜方向（第１方向Ｒ１）とは略直交した面で、コネクタ２５を前後左右に移動可能に支持することができる。さらに、コネクタ２５のデフォルトポジションも容易に定まりやすい。
【０１６１】
本実施形態では、開口部２４の内周面とガイド部１４６とでコネクタ２５の移動可能範囲が規制されている。このため、コネクタ２５が過度に大きく移動することが防止され、支持部１３２の負担が大きくなることを抑制することができる。
【０１６２】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【０１６３】
以下に、いくつかのテレビジョン受像機及び電子機器を付記する。
【０１６４】
[１]、(i)タッチセンサが設けられた表示画面を有した表示装置と、(ii)前記表示装置が収容され、前記表示画面との間が第１距離で前記表示画面と略平行に延び、第１支持脚を有した第１底壁と、前記表示画面との間が前記第１距離よりも大きな第２距離で前記表示画面と略平行に延び、第２支持脚を有した第２底壁と、前記第１底壁と前記第２底壁との間に位置し、前記第１底壁と前記第２底壁とに亘る傾斜部と、前記第１底壁及び前記第２底壁とは反対側に位置し、前記表示画面が露出される開口部が設けられた壁と、排気孔が設けられた側壁とを有した筐体と、(iii)前記表示装置と前記第２底壁との間に位置した部分を有し、前記表示装置に電気的に接続された基板と、(iv)前記基板に実装され、前記表示装置と前記第２底壁との間に位置した発熱部品と、(v)前記排気孔に向かい合い、前記発熱部品と熱接続されたヒートシンクと、(vi)前記表示装置と前記第２底壁との間に位置し、前記ヒートシンクに風を送るファンと、を備えたテレビジョン受像機。
【０１６５】
[２]、[１]の記載において、前記第２支持脚は、前記第１支持脚よりも高いテレビジョン受像機。
【０１６６】
[３]、[１]または[２]の記載において、前記第１底壁及び前記第２底壁は、前記第１支持脚及び前記第２支持脚が載置面に置かれた状態で、前記載置面に対して傾斜して前記載置面から離れ、前記第２底壁に第１吸気孔が設けられ、前記傾斜部に第２吸気孔が設けられたテレビジョン受像機。
【０１６７】
[４]、[３]の記載において、前記発熱部品は、前記第２底壁から前記第１底壁に向かう第１方向とは交差する第２方向で、前記第１吸気孔と前記ファンとの間に位置したテレビジョン受像機。
【０１６８】
[５]、[４]の記載において、前記第１底壁と前記第２底壁との間に位置し、前記第２方向に延び、前記筐体内の空間を、前記第１底壁が露出した第１領域と、前記第２底壁、前記排気孔、前記ファン、前記発熱部品、及び前記第１吸気孔が露出した第２領域とに少なくとも部分的に仕切る遮風部をさらに備えたテレビジョン受像機。
【０１６９】
[６]、[４]または[５]の記載において、前記表示装置と前記第２底壁との間に位置したモジュールをさらに備え、前記ファン及び前記モジュールは、前記第２方向で前記基板の両側に分かれて位置し、前記第１吸気孔は、前記モジュールに向かい合うテレビジョン受像機。
【０１７０】
[７]、[４]または[６]の記載において、前記第２底壁は、前記ファンに向かい合う第３吸気孔が設けられたテレビジョン受像機。
【０１７１】
[８]、[１]または[７]の記載において、前記筐体は、前記第１底壁の一部を含む第１端部と、該第１端部とは反対側に位置し、前記第２底壁の一部を含む第２端部とを有し、前記開口部は、前記筐体の第１端部に沿う第１縁部と、前記第２端部に沿う第２縁部とを有し、前記第２支持脚の少なくとも一部は、前記第２縁部よりも、前記第１支持脚から遠くに位置したテレビジョン受像機。
【０１７２】
[９]、[８]の記載において、前記筐体の第２端部に着脱可能に取り付けられるバッテリをさらに備え、前記バッテリは、前記第２端部と略同じ厚さを有し、前記第１底壁から前記第２底壁に向かう方向で、前記表示装置の少なくとも一部と並ぶテレビジョン受像機。
【０１７３】
[１０]、(i)タッチセンサが設けられた表示画面を有した表示装置と、(ii)前記表示装置が収容され、前記表示画面との間が第１距離で前記表示画面と略平行に延びた第１底壁と、前記表示画面との間が前記第１距離よりも大きな第２距離で前記表示画面と略平行に延びた第２底壁と、前記第１底壁と前記第２底壁との間に位置した傾斜部とを有した筐体と、を備えた電子機器。
【０１７４】
[１１]、(i)第１端部と、該第１端部とは反対側に位置し、前記第１端部よりも厚い第２端部と、開口部が設けられ、前記第１端部と前記第２端部とに亘る壁とを有した筐体と、(ii)前記筐体に収容され、タッチセンサが設けられて前記開口部から露出された表示画面を有した表示装置と、を備えた電子機器。
【符号の説明】
【０１７５】
Ｓ…載置面、ｔ１…第１距離、ｔ２…第２距離、Ａ１…第１領域、Ａ２…第１領域、１…テレビジョン受像機、２…表示ユニット、３…スタンド、４…第１筐体、４ａ…第１端部、４ｂ…第２端部、５…表示装置、１１ａ…開口部、１１…上壁、１２…第１底壁、１３…第２底壁、１４…傾斜部、１６…タッチセンサ、１７…表示画面、１８…第１コネクタ、２１…第２筐体、２２…底壁、２３…ホルダ、２４…開口部、２５…第２コネクタ、３１…電子機器、３２…ドック、３３…第１支持脚、３４…第２支持脚、３８…側壁、４２…排気孔、５２…モジュール、５３…ファン、５４…ヒートシンク、５５…ヒートパイプ、５６…発熱部品、６１…第１吸気孔、６２…第２吸気孔、６３…第３吸気孔、６６，６７…遮風部、７５…バッテリ、１０１…ベース、１０２…収容部、１１１…第１支持壁、１１２…第２支持壁、１１３…第３支持壁、１１４…平面、１１５…凸部、１３２…支持部、１３３…基板、１３５…固定部、１３６…傾斜部、１３７…アーム、１４６…ガイド部、１４７…導電部。
【図１】
0005492317.tif 000002
【図２】
0005492317.tif 000003
【図３】
0005492317.tif 000004
【図４】
0005492317.tif 000005
【図５】
0005492317.tif 000006
【図６】
0005492317.tif 000007
【図７】
0005492317.tif 000008
【図８】
0005492317.tif 000009
【図９】
0005492317.tif 000010
【図１０】
0005492317.tif 000011
【図１１】
0005492317.tif 000012
【図１２】
0005492317.tif 000013
【図１３】
0005492317.tif 000014
【図１４】
0005492317.tif 000015
【図１５】
0005492317.tif 000016
【図１６】
0005492317.tif 000017
【図１７】
0005492317.tif 000018
【図１８】
0005492317.tif 000019
【図１９】
0005492317.tif 000020
【図２０】
0005492317.tif 000021
【図２１】
0005492317.tif 000022
【図２２】
0005492317.tif 000023
【図２３】
0005492317.tif 000024
【図２４】
0005492317.tif 000025
【図２５】
0005492317.tif 000026
【図２６】
0005492317.tif 000027
【図２７】
0005492317.tif 000028
【図２８】
0005492317.tif 000029
【図２９】
0005492317.tif 000030
【図３０】
0005492317.tif 000031
【図３１】
0005492317.tif 000032
【図３２】
0005492317.tif 000033
【図３３】
0005492317.tif 000034
【図３４】
0005492317.tif 000035
【図３５】
0005492317.tif 000036
【図３６】
0005492317.tif 000037
【図３７】
0005492317.tif 000038
【図３８】
0005492317.tif 000039
【図３９】
0005492317.tif 000040
【図４０】
0005492317.tif 000041
【図４１】
0005492317.tif 000042
【図４２】
0005492317.tif 000043
【図４３】
0005492317.tif 000044
【図４４】
0005492317.tif 000045
【図４５】
0005492317.tif 000046
【図４６】
0005492317.tif 000047
【図４７】
0005492317.tif 000048
【図４８】
0005492317.tif 000049
【図４９】
0005492317.tif 000050
【図５０】
0005492317.tif 000051